(57)【要約】      （修正有）【課題】既存建築物の屋上に構築物を据え付ける際に用いられる基礎で、重量が軽く、工期も短く、アンカーボルトの位置決めも容易で、安価な基礎を提供する。【解決手段】アンカーボルト２が取り付けられたベースプレート１と、相互に連結される複数の基礎材３，４と、金属製の防水カバー６とからなることを特徴とする構築物用基礎。基礎材はポリスチレン等のポリスチレン系樹脂、ポリプロピレン、ポリエチレン等のポリオレフィン系樹脂、又はポリウレタン等のポリウレタン系樹脂を主成分とする合成樹脂成形体であることが好ましく、また、基礎材が合成繊維、炭素繊維、無機繊維、金属繊維及び木材チップからなる群より選ばれた少なくとも１種類の補強材を含有する発泡合成樹脂成形体とすることもできる。また、現場での工程を短期化し、かつ、基礎材を相互にボルトにより連結することが望ましい。【選択図】図２
2006233579.tif 000002
【特許請求の範囲】
【請求項１】
アンカーボルトが取り付けられたベースプレートと、相互に連結される複数の基礎材と、防水カバーとからなることを特徴とする構築物用基礎
【請求項２】
基礎材がポリスチレン等のポリスチレン系樹脂、ポリプロピレン、ポリエチレン等のポリオレフィン系樹脂、又はポリウレタン等のポリウレタン系樹脂を主成分とする合成樹脂成形体である請求項１記載の構築物用基礎
。
【請求項３】
基礎材が合成繊維、炭素繊維、無機繊維、金属繊維及び木材チップからなる群より選ばれた少なくとも１種類の補強材を含有する発泡合成樹脂成形体である請求項２記載の構築物用基礎
。
【請求項４】
基礎材が、相互にボルトにより連結されていることを特徴とする請求項１〜３のいずれかに記載の構築物用基礎。
【請求項５】
構築物が、既存の建築物の屋上に設置される構築物である請求項１〜４記載の構築物用基礎。
【発明の詳細な説明】
【技術分野】
【０００１】
本発明は構築物、特に既存の建築物の屋上に設置される構築物（電話用交換機、広告板、パラボラアンテナ、空調機室外機、水道水タンク等）を保持するために、既存の建築物の屋上に設置される基礎に関するものである。
【背景技術】
【０００２】
既存の建築物の屋上に電話交換機盤などの構築物を新たに据え付ける場合、これらの基礎
としてコンクリート又は鉄筋コンクリートが使用されている。具体的には、屋上の防水層を一部剥離して、前記構築物を固定するためのアンカーを立てたコンクリートの基礎 を設け、当該アンカーボルトに構築物を固定する工法が採用されている。
【０００３】
前記の方法では、現場でコンクリートを練る場合、構築物を設置しようとする既存の建築物の高さによっては、コンクリートミキサー車を利用できず、コンクリートの品質にばらつきが生じたり、骨材、センメント、水、機械工具の搬入搬出の問題があるうえ、コンクリートが所定の強度・硬度なるための２週間以上の養生期間が必要となり、工期が超過して不要な費用がかかったり、その間に既存の建築物の防水に問題が生じるなどの危険性もある。
【０００４】
また、工場内でコンクリートで固めた形態として基礎を現場に持ち込む場合、コンクリート自体の重量が非常に大きく、輸送の問題が大きな障害となる。また、コンクリートにアンカーボルトを埋め込む際の位置決めは容易ではない。
【０００５】
特に、既存の建築物の屋上に構築物を据え付ける場合には、既存の建築物に屋上に設置できる基礎や構築物の重量には制限があり、コンクリートで基礎を構築することができないこともある。
【０００６】
上記の問題の一つの解決方法として、発泡合成樹脂を材料とする柱状構築物用の基礎が提案されている（特開平１１−１５２７５９号）が、当該発明は、コンクリートに代えて発泡合成樹脂を用いるものにすぎず、材質の違いによる重量軽減効果は期待できるが、大幅な重量軽減には繋がらない。
【特許文献１】特開平１１−１５２７５９号公報
【発明の開示】
【発明が解決しようとする課題】
【０００７】
本発明は、上記の問題に鑑み、基礎を軽量化するとともに、アンカーボルトの位置決めなどの作業効率を向上させ工期を短縮するとともに、安価な構築物用基礎を提供しようとするものである。
【課題を解決するための手段】
【０００８】
本発明者は、アンカーボルトの位置合わせを容易にするように、金属製のベースプレートにアンカーボルトを事前に正確に位置決めして取り付け、さらに、適切な新素材の適用により、基礎内に基礎材が充填された状態でなくても、構築物の重量を保持するために必要な強度を実現できる点に着目し、複数の基礎材を組み合わせ構築物の重量を保持する構成と、防水の為の防水カバーとを組み合わせたという斬新な発想に基づき発明を完成させた。
【０００９】
すなわち、本発明に係る構築物用基礎は、アンカーボルトが取り付けられたベースプレートと、相互に連結される複数の基礎材と、金属製の防水カバーとからなることを特徴とするものであり、前記の基礎材は、ポリスチレン等のポリスチレン系樹脂、ポリプロピレン、ポリエチレン等のポリオレフィン系樹脂、又はポリウレタン等のポリウレタン系樹脂を主成分とする合成樹脂成形体であるか、合成繊維、炭素繊維、無機繊維、金属繊維及び木材チップからなる群より選ばれた少なくとも１種類の補強材を含有する発泡合成樹脂成形体であることが望ましい。
【００１０】
さらに、基礎材相互間の連結は、接着剤でも十分にその性能を奏するが、相互にボルトにより連結することにより、基礎材を分割して運搬し、現場で組み立てることができるなど、作業性や運搬性が一段と向上する。
【００１１】
本発明に係る構築物用基礎は、既存の建築物の屋上に構築物を設置する場合に適用しうるものであるが、それに限られず、コンクリートミキサーの侵入できなない場所に構築物を設置する場合など広範囲に使用できるものであって、本発明が既存の建築物の屋上に構築物を設置する場合に限定されるものではないことは言うまでもない。
【発明の効果】
【００１２】
本発明の基礎は、従来のコンクリート製の基礎と比較して、軽量であるため運搬等の作業が容易になるとともに、重機を使用する据付作業及びそれに伴う危険性を排除することができ、更にコンクリートの養生期間が短縮でき工期を短くするとともに、養生期間中に生じる諸々の問題点を解消することができ、経済性を大幅に向上することが可能である。
【００１３】
また、既存の建築物に構築物を設置する際に利用した場合、既存の建物にかかる加重負担を小さくできるから、建築物の耐荷重による制約が少なく、従来屋上に構築物を設置できなかったような耐荷重の低い建築物の屋上にも構築物を設置することが可能である。
【００１４】
本発明の基礎は、床面とベースプレートで接合されているので、接合面積が広く安定しているとともに、引っ張り荷重はアンカーボルトを通して直接ベースプレート・床面に伝わる構造であるからより引っ張り強度が高い。
【００１５】
ベースプレートにアンカーボルトが精度よく接合されているため、ベースプレートの墨出しを位置を決めることにより、アンカーボルトが精度よくの位置決めできる。
【００１６】
基礎体を定型化された複数の基礎材で構成することができるので、基礎材の製造コストを低減することが可能になるうえ、組み合わせにより基礎体の形状が自由に選択できるようになり、また、基礎材は工場加工できるため高い寸法精度が維持できる。
【００１７】
基礎体全体を防水カバーで覆う為、完全な防水加工が施せ、また、荷重が架かる基礎体とは別体となっているため基礎材の老朽化やひび割れによる水の浸食の危険性がない。
【００１８】
基礎材に合成樹脂成形体を用いた場合、より一層の軽量化が可能となるとともに、リサイクルすることにより経済的な運用が可能である。
【００１９】
基礎体を、ボルト組立とした場合、養生期間が必要なく工期が大幅に短縮されるとともに、基礎材が温度変化で伸縮した場合、ボルト孔における自由度により、割れや破損の問題が生じない。
【発明を実施するための最良の形態】
【００２０】
以下、本発明について実施例に基づいて詳しく説明する。
【００２１】
第１図は、本発明に係る構築物用基礎３０に構築物（図面の例は簡易電機箱）２１を設置した状態を示す実施例の斜視図である。第１図では、構築物２１は基礎３０の上部に渡されたＨ型鋼２２を介して設置されているが、構築物２１を基礎３０の上に直接設置してもよい。
【００２２】
第２図は本発明に係る構築物用基礎３０の斜視図（透視図）、第３図は同基礎３０の組み立て図である。
【００２３】
ベースプレート１には、構築物２１の下部の構造に合わせて、工場内で正確にアンカーボルト２が取り付けられている。
【００２４】
基礎体３１は、複数の基礎材を連結することにより構成されており、基礎の外周を構成するそれぞれ一対の基礎材３と基礎材４及びアンカーボルトを貫通させる孔を有する基礎材５から成り、それぞれボルトにより連結され、全体で構築物の重量を保持する構成となっている。上記基礎材の連結には、ボルトに代えて接着剤を用いてもよいし、ボルトと接着剤を併用して使用してもよい。
【００２５】
基礎体３１の基礎材５の孔にアンカーボルト２を挿入し、基礎体３１に防水カバー６を被せ、さらに防水性を高めるために防水カバーの上から天板７を被せ、天板上部の孔から出たアンカーボルト２にゲージプレート８を取り付け、ナット９で締め付けて基礎３０が完成する。
【００２６】
基礎材は、構築物の重量を保持でき、基礎材自体の荷重が軽いものが望ましく、構築物の重量や基礎の周囲の環境により、ポリスチレン等のポリスチレン系樹脂、ポリプロピレン、ポリエチレン等のポリオレフィン系樹脂、又はポリウレタン等のポリウレタン系樹脂を主成分とする合成樹脂成形体などから適宜選択できる。
【００２７】
基礎材に発泡成形体を用いる場合、その構造（独立気泡・連続気泡）を問わず使用することができるが、独立気泡の発泡成形体の方が圧縮強度が高くより好ましい。
【００２８】
また、合成繊維、炭素繊維、無機繊維、金属繊維及び木材チップからなる群より選ばれた少なくとも１種類の補強材を含有する発泡合成樹脂成形体を用いれば、より軽量で耐荷重に優れた基礎を提供することができる。
【００２９】
本発明に係る基礎は、既存の建築物の屋上に設置される構築物の基礎として適用した場合、その有効性は顕著である。
【００３０】
防水カバー６は、基礎体３１全体を覆い外部からの雨水等の水の侵入を防止する為に用いるものであり、防水性能の高いステンレス・アルミ・高耐食性メッキ鋼板等の金属製が好ましいが、プラスチック・ＦＲＰ・塩ビ板等で製造することもできる。防水カバー６には、脱気孔１０が設けられており基礎体内の空気を外気と流通させることにより基礎体内温度の過激な変動をおさえ基礎体３１の変形や破損を防止するとともに、空気膨張による防水カバー６の膨れを防止する。また空気の流通により、基礎体内に結露が発生することを防止し、アンカーボルト等の金属部分の発錆や既存の建築物に影響を及ぼすことを防止できる。
【００３１】
本発明に係る基礎を既存の建物の屋上に設置する場合、上記の手順で完成した基礎３１を既存の建築物に運搬し設置する方法と、基礎を構成する部品を既存の建築物上で組み立てる方法、また、基礎の半完成品を運搬し既存の建築物上で組み立てる方法など、既存の建築物の工事スペース・工期等の関係で適宜選択することができる。
【００３２】
以下、第３図を用いて、基礎を構成する部品を既存の建築物上で組み立てる方法による場合の工程の手順を説明する。工場で基礎の一部を既に組み立てておく場合には、対応する工程を省略すればよい。
【００３３】
既存の建築物の防水層をベースプレートの大きさに合わせて剥離しベースプレート設置面４０を設ける。ベースプレート設置面４０が水平でない場合には、無収縮モルタルを剥離部に打設し、ベースプレート設置面４０を水平にする。
【００３４】
ベースプレート設置面４０に接着剤を規定量塗布し、ベースプレート１を正確に設置する。アンカーボルト２は既にベースプレート１上に正確に位置決めされているから、ベースプレート１の角部、縦方向、横方向を位置合わせすれば、アンカーボルト２の位置も正確に決定できる。接着剤は弾性接着剤で速硬化性のあるものが好ましい。
【００３５】
基礎材３と基礎材４、及び、貫通部３２にアンカーボルト２を挿入した基礎材５とを相互にボルト１１で連結させ基礎体３１を完成させる。貫通部３２には鋼管３３が打ち込んであり、アンカーボルト２は前記鋼管３３内に挿入されることによりアンカーボルト２と基礎材５が直接接触し基礎材５が破損することを防止している。アンカーボルト２を挿入した後、アンカーボルト１と鋼管３３との隙間に樹脂性接着剤等を流し込めば、アンカーボルト２と鋼管３３の接合はより強固になる。また、基礎材５と鋼管３３との間に水膨性シーラントを充填すれば、アンカーボルト２を伝って流れてきた雨水などが・・・・・することを防止できる。
【００３６】
組み立てられた基礎体３１に防水カバー６、天板７を順に被せ、天板７の上部から突き出たアンカーボルト２にゲージプレート８を取り付け、ナット９で締め付ける。天板７のナット部分の隙間に樹脂系接着剤を天板７の上部の面と水平な位置まで流し込めば、基礎３０の防水性能は一段と良くなる。
【００３７】
本発明に係る基礎を地盤面上に設置する場合には、既存の建物の防水層を剥離する替わりに地面を堀削し、その底部にクリ石などでならした土台を設けて基礎を設置すればよい。
【００３８】
第４図は、本発明に係る基礎３０を用いて大型の構築物２１を設置する場合の他の実施例を示す。大型の構築物２１を設置する場合、複数の基礎３０にＨ鋼材２２を渡して配置すれば、構築物の荷重が分散され、構築物を安定に設置することができる。
【図面の簡単な説明】
【００３９】
【図１】本発明に係る基礎を用いて構築物を設置する場合の実施例を示す斜視図
【図２】本発明に係る基礎の斜視図（透視図）
【図３】本発明に係る基礎の組み立て図
【図４】本発明に係る基礎を用いて大型の構築物を設置する場合の実施例を示す斜視図
【符号の説明】
【００４０】
１    ペースプレート
２    アンカーボルト
３    基礎材
４    基礎材
５    基礎材
６    防水カバー
７    天板
８    ゲージプレート
９    ナット
１０  脱気孔
２１  構築物
２２  Ｈ型鋼
３０  構築物用基礎
３１  基礎体
３２  貫通部
３３  鋼管
４０  ベースプレート設置面
【図１】
2006233579.tif 000003
【図２】
2006233579.tif 000004
【図３】
2006233579.tif 000005
【図４】
2006233579.tif 000006
【手続補正書】
【提出日】平成17年2月25日(2005.2.25)
【手続補正１】
【補正対象書類名】明細書
【補正対象項目名】００２４
【補正方法】変更
【補正の内容】
【００２４】
基礎体３１は、複数の基礎材を連結することにより構成されており、基礎の外周を構成するそれぞれ一対の基礎材３と基礎材４及びアンカーボルトを貫通させる孔を有する基礎材５から成り、それぞれボルトにより連結され、全体で構築物の重量を保持する構成となっている。
【手続補正２】
【補正対象書類名】明細書
【補正対象項目名】００３５
【補正方法】変更
【補正の内容】
【００３５】
基礎材３と基礎材４、及び、貫通部３２にアンカーボルト２を挿入した基礎材５とを相互にボルト１１で連結させ基礎体３１を完成させる。貫通部３２には鋼管３３が打ち込んであり、アンカーボルト２は前記鋼管３３内に挿入されることによりアンカーボルト２と基礎材５が直接接触し基礎材５が破損することを防止している。アンカーボルト２を挿入した後、アンカーボルト１と鋼管３３との隙間に樹脂性接着剤等を流し込めば、アンカーボルト２と鋼管３３の接合はより強固になる。また、基礎材５と鋼管３３との間に水膨性シーラントを充填すれば、アンカーボルト２を伝って流れてきた雨水などが浸入することを防止できる。